(57)【要約】【課題】本発明は、被写体に光を照射して写像を得る照明器具付き鏡に関し、特に被写体が髭剃りや化粧等を行いたい利用者である場合に、眩しさを感じにくく影を生じにくいような写像が得られることができる照明器具付き鏡を提供することにある。【解決手段】多方向から使用者を照らし影を生じにくい写像を得るとともに、視野に入りにくい上部照明８１ａを瞬時に点灯・消灯させ、視野に入りやすい左右の照明８１ｂを徐々に点灯・消灯させることにより、急にまわりが明るくなって眩しさによる不快感や、逆に明るい状態から急にまわりが暗くなってしまうことも防ぎ、使用者の目にかかる負担を軽減できる。【選択図】  図１
2004290531.tif 000002
【特許請求の範囲】
【請求項１】
少なくとも鏡の左右及び上部に照明器具を配置して各照明から被写体に光をあて写像を得る照明器具付き鏡において、前記上部照明のみ、或いは上部、下部の照明が所定の明るさで点灯し、左右の照明は点灯後に所定の時間をかけ所定の明るさまで徐々に明るくなることを特徴とする照明器具付き鏡。
【請求項２】
請求項１記載の照明器具付き鏡において、前記照明器具は消灯時、所定の時間をかけ徐々に暗くなることを特徴とする照明器具付き鏡。
【請求項３】
請求項１又は２記載の照明器具付き鏡において、周囲の明るさを検出する明るさセンサを備えるとともに、該明るさセンサからの信号を元に、前記照明器具の点灯状態が、切り替わることを特徴とする照明器具付き鏡。
【発明の詳細な説明】
【０００１】
【発明の属する技術分野】
本発明は、被写体に光を照射して写像を得る照明器具付き鏡に関し、特に被写体が髭剃りや化粧等を行いたい利用者である場合に、点灯時の眩しさを抑え、また急激に周囲の明るさがが明るくなったり暗くなったりすることを抑えた照明器具付き鏡に関する。
【０００２】
【従来の技術】
従来、照明器具付き鏡は、鏡とは別に鏡の上部に白熱ランプや直管形蛍光ランプを用いた照明器具を配設しており、配設された照明器具は鏡面から飛び出しているのが一般的である。
しかし、このように鏡の上部に照明器具を配設すると、被写体のあごや首に影が生じやすく髭剃りや化粧がしづらいため、長方形の化粧鏡の上端及び左右両端に沿って蛍光灯の照明ボックスを配置し、更にカウンター側を照らす下部照明を化粧鏡の下端に配置した事例があった（例えば特許文献１参照）。
【０００３】
また、同様な目的で、鏡の周りを照明枠で囲み、この枠中に鏡の各辺に対応させて１個づつの電球を配置した事例もあった（例えば特許文献２参照）。さらに、化粧鏡の下側を除く全外周辺部に蛍光灯を配置すると共に、化粧鏡の下側の両端部と上側の両端部に白熱灯を配置した事例もあった（例えば特許文献３参照）。
【０００４】
【特許文献１】
実開昭６４−００１４２０号公報（第５５頁、第１図）
【特許文献２】
実開昭６０−２７７６１号公報（第１５５頁、第３図）
【特許文献３】
特開平６−２８９１２号公報（第５頁、第１図）
【０００５】
【発明が解決しようとする課題】
しかしながら、従来の照明器具付き鏡においては、各々の照明の点灯タイミングをずらす工夫は無く、全ての方向の照明が瞬時に点灯してしまうため、特に視野に入りやすい左右からの照明の光により眩しさを感じ、不快感を生じるといった問題を有していた。
また、消灯時も目が明るい環境になれた状態で、全照明が明るい環境から急に暗い環境へ変わるために暗順応するまでの間は周囲がよく見えないといった問題も有していた。
【０００６】
本発明は、上記課題を解決するためになされたもので、本発明の目的は、照明点灯時の眩しさを抑えつつも、全ての照明器具が瞬時に点灯・消灯することによって周囲が急に明るくなったり暗くなったりすることを抑えた照明器具付き鏡を提供することにある。
【０００７】
【課題を解決するための手段】
上記目的を達成する為に請求項１では、前記上部照明のみ、或いは上部、下部の照明を所定の明るさで点灯し、左右の照明は点灯後に所定の時間をかけ所定の明るさまで明るくなる照明器具付き鏡とした。
【０００８】
これにより、左右の照明はどうしても上部、下部の照明に比べ視野に入りやすく、点灯時の眩しさを感じやすいため、視野に入りにくい上部の照明のみ、或いは上部、下部を両方の照明を左右の照明より先に点灯し、左右の照明を例えば１分程度かけ所定の明るさまで徐々に明るくすることによって、左右各々の照明から急に眩しい光が目に入り眩しさを生ずるのを防ぐことができる。
【０００９】
請求項２では、請求項１の発明の場合において、前記照明器具が消灯時所定の時間をかけ徐々に暗くなるようにした。
【００１０】
これにより、使用者の目が明るい環境になれた状態から、全ての照明器具が瞬時に消灯しまわりが急に暗くなることによって、暗順応するまでの間、周囲がよく見えなくなるのを防ぐことができる。
【００１１】
請求項３では、請求項１又は２の発明の場合において、周囲の明るさを検出する明るさセンサを備えるとともに、該明るさセンサからの信号を元に、前記照明器具の点灯状態が各々異なった状態で切り替わるようにした。
【００１２】
これにより、周囲が所定の明るさ以上であれば、全ての照明器具が瞬時に点灯し、周囲が所定の明るさ以下のとき、周囲が暗いと急に明るくなると、余計眩しさによる不快感を感じやすくなるため、視野に入りやすい左右の照明器具のみ１分程度かけて所定の明るさまで徐々に明るくすることによって、急激な明るさの変化により目にかかる負担を軽減できる。
【００１３】
また、周囲がある程度明るいときは、例えば、全ての照明を５０％程度の明るさで点灯させ、周囲がある程度の明るさ以下の時は１００％で点灯させるよう設定しておけば、無駄な電力の消費を抑え、経済的である。
【００１４】
【発明の実施の形態】
以下、本発明に係る実施の形態については図面により説明する。
【００１５】
図１は本発明である照明器具付き鏡の第１の実施形態に係る正面・側面図、図２は図１のＡ−Ａ’断面図である。
【００１６】
照明器具付き鏡０１ａは、本体フレーム０２に下枠０６、左右の側枠０７を固定し略箱状に形成され、鏡０３を鏡押さえ金具６０と下枠０６の溝で挟み込んで保持し、鏡押さえ金具６０を本体フレーム０２に鏡押さえ金具固定ネジ３２で固定している。上部照明８１ａは、光源１１を乳白半透明の透過性樹脂製で、光源１２を覆うように形成され、カバー固定ネジ３１で本体フレーム０２に固定されている。また、鏡０３の裏面の空間に、左右照明の光源１０と、光源の点灯状態を制御する制御回路部２０ｂを配置し、各々が本体フレーム０２に固定されている。また、下枠０６には、操作することにより光源１０、１１を点灯・消灯可能な点灯スイッチ７２が設けられている。
【００１７】
図３に鏡のＢ−Ｂ’断面拡大図を示す。
鏡０３は、周縁の左右がガラスの裏面に塗布される銀塗装膜０３ｃをこの部分だけ無くして、銀塗装膜０３ｃを存在させないことで光透過部０３ａが形成されており、この部分は照射光の眩しさを防ぐために器具内面側０３ｄをブラスト処理している。この光透過部０３ａの裏側に左右照明の光源１０が配置されており、光源からの光がこの部分を通過することにより拡散され柔らかい光となり、前方側へ照射されるように構成されている。
【００１８】
図４は本発明である照明器具付き鏡の第１の実施形態に係る電気的な制御回路部のブロック図である。
交流電源７１は、記憶回路部８２ａを経て、上部照明部８１ａ、左右照明部８１ｂに各々接続されている。
上部照明部８１ａには調光回路部７４ａと光源１１で構成され、調光回路部７４ａは記憶回路部８２ａからの信号７６ａと光源１１が接続されている。照明部８１ｂも同様に、調光回路部７４ｂと光源１０で構成され、調光回路部７４ｂは記憶回路部８２ａからの信号７６ｂと光源７５ｂが接続されている。
【００１９】
調光回路部７４ａ、７４ｂは、信号７６ａ、７６ｂを受け、上部照明の光源１１に対しては定格の明るさ又は所定の調光量で瞬時点灯させ、左右照明の光源１０に対しては、所定の調光量まで徐々に明るくしたり（以降、フェードインと称する）、逆に徐々に暗くしたり（以降、フェードアウトと称する）できるようになっている。記憶回路部８２ａには、光源１０、１１の調光量、フェードイン・フェードアウトの要否、かつ、変更できるようになっており、それらの変更は各種設定つまみ（図示せず）の操作によるものである。
【００２０】
図５に各照明の点灯動作の一例を示す。
使用者が髭剃りや化粧などを行うため鏡を利用する際に点灯スイッチ７２をオンすると、予め設定された調光量或いはフェードイン・フェードアウトの要否の情報を記憶回路部８２あから呼び出し、それらの情報を信号７６ａ、７６ｂによって調光回路部７４ａ、７４ｂに伝達し、調光回路部７４ａ、７４ｂはその情報に基づいて光源１０を瞬時点灯、光源１１をＴ１時間かけてフェードインする。使用者の視野に入りやすい左右の照明をフェードインすることにより、左右各々の照明から急に眩しい光が目に入り眩しさを生ずることはない。
【００２１】
また、使用者が点灯スイッチをオフすると、上部照明は瞬時に消灯するが、左右各々の照明はＴ２時間をかけてフェードアウトするようにしているため、全照明が瞬時に消え急激に周囲が暗くなるがないため、急な明るさの変化による使用者の不快感や目にかかる負担を軽減できる。
【００２２】
図６に本発明である照明器具付き鏡の第２の実施形態に係る正面・側面図を示す。第１の実施の形態と異なる点は、側枠の略鏡中央高さ付近に明るさセンサーを設け、制御回路部に明るさセンサ判定回路部を設けた点で、他は第１の実施の形態と同様に形成されている。
【００２３】
図７は本発明である照明器具付き鏡の第２の実施形態に係る電気的な制御回路部のブロック図である。
【００２４】
交流電源７１は、明るさ判定回路部・記憶回路部８２ａを経て、照明部８１ａ、照明部８１ｂに各々接続されている。照明部８１ａには調光回路部７４ａと光源７５ａで構成され、調光回路部７４ａは明るさ判定回路部・記憶回路部８２ｂからの信号７６ａと光源７５ａが接続されている。照明部８１ｂも同様に、調光回路部７４ｂと光源７５ｂで構成され、調光回路部７４ｂは明るさ判定回路部・記憶回路部８２ｂからの信号７６ｂと光源７５ｂが接続されている。
【００２５】
調光回路部７４ａ、７４ｂは、信号７６ａ、７６ｂを受け、光源７５ａ、７５ｂに対し、定格の明るさでの点灯や所定の調光量で点灯、或いは所定の調光量まで徐々に明るくしたり（以降、フェードインと称する）、逆に徐々に暗くしたり（以降、フェードアウトと称する）できるようになっている。明るさ判定回路部・記憶回路部８２ｂには、明るさセンサ７９が接続されている。
【００２６】
また、明るさ判定回路部・記憶回路部８２には、光源７５ａ、７５ｂの調光量、フェードイン・フェードアウトの要否、明るさ判定のための閾値が記憶されており、かつ、変更できるようになっており、それらの変更は各種設定つまみ（図示せず）の操作によるものである。明るさセンサ７９の周辺の明るさ判定のための閾値は二つ設定されており、明るさセンサ７９の周辺の明るさが一番小さい閾値以下の明るさの場合はモードＡ、二つの閾値間の明るさはモードＢ、一番大きい閾値以上の場合はモードＣに設定されている。
また、照明部８１ａ、８１ｂは独立して各々を制御できるようにもなっている。
【００２７】
次に、動作について説明する。
使用者が髭剃りや化粧などを行うため鏡を利用する際に点灯スイッチ７２をオンすると、明るさセンサ７９で鏡周辺の明るさを検知し、予め設定してある閾値と比較し、モードを判定する。そして、予め設定されたモード毎の調光量或いはフェードイン・フェードアウトの要否の情報を記憶回路部から呼び出し、それらの情報を信号７６ａ、７６ｂによって調光回路部１１、１０に伝達し、調光回路部７４ａ、７４ｂはその情報に基づいて光源１１、１０を点灯、或いはフェードインするものである。また、使用者が点灯スイッチをオフすると、モードに応じて消灯またはフェードアウトする。
【００２８】
図８に各照明の点灯動作の一例を示す。明るさセンサ判定のための閾値を、鏡中央部付近に設置された明るさセンサ７９周辺が髭剃りや化粧を行うのに十分明るい照度を確保できている場合（Ａ）と、やや暗い場合（Ｂ）と、かなり暗い場合（Ｃ）とに設定しておく。
【００２９】
（Ａ）の場合、鏡周辺が例えば窓から外光や天井照明によって照度が確保されているため、上部の照明は点灯させず、左右各々の照明から、例えば全光出力の５０％の弱めの光で使用者を照らし、影やムラを無くし髭剃りや化粧がしやすくする。また、左右の照明は使用者の視野に入りやすく眩しさを感じやすいため、Ｔ１時間をかけフェードインするように設定している。
【００３０】
（Ｂ）の場合、鏡周辺の明るさがやや不足しているため、上部照明から、例えば全光出力の５０％の弱めの光で使用者を照らし髭剃りや化粧に十分な明るさを確保し、さらに左右各々の照明から上部照明によって使用者のあごや首下に生じる影を緩和することによって、髭剃りや化粧がしやすくなる。
【００３１】
（Ｃ）の場合、鏡周辺の明るさがかなり不足し使用者が髭剃りや化粧ができない状態のため、上部照明を全光出力の１００％で点灯し使用者を照らし髭剃りや化粧に十分な明るさを確保した上で、さらに左右各々の照明から全光出力の１００％で、上部照明によってあごや首下に生じる影を緩和することによって、髭剃りや化粧がしやすくなる。
【００３２】
左右各々の照明はＴ２時間をかけてフェードアウトするようにしているため、全照明が瞬時に消え急激に周囲が暗くなるがないため、急な明るさの変化による使用者の不快感や目にかかる負担を軽減できる。また、全てのモードでフェードアウトの時間をＴ２時間としているが異ならせても良い。
【００３３】
そのモードに応じて、各照明毎に好みの点灯状態や調光量、或いはフェードイン、フェードアウトの要否を予め設定しておくことで、自動的にお気に入りの光を得ることができる。
【００３４】
なお、実施例においてモードは三つとしたがこれに限らず、二つでも四つ以上でも構わない。また、光出力を低い場合を５０％、高い場合を１００％ととしたが、無くてもよく、左右照明のみフェードアウトさせたが、上部照明もフェードアウトさせても良い。
【００３５】
また、実施例において点灯・消灯スイッチを本体に設けたが、器具とは別に器具周辺の壁面に取り付けても良い。
【００３６】
本実施例では、フェードイン、フェードアウトを時間とともに一定の比率で光出力が増加するようにしたが、一定の比率でなくても良く、明順応、暗順応特性に応じ光出力を変化させても良い。
【００３７】
【発明の効果】
本発明は上記構成により次の効果を発揮する。
被写体に光を照射して写像を得る照明器具付き鏡に関し、特に被写体が髭剃りや化粧等を行いたい利用者である場合に、視野に入らない上部或いは上部と下部の照明は瞬時に点灯させ、視野に入りやすい左右各々の照明は所定の明るさで徐々に明るくなるよう点灯させることによって、点灯時の眩しさや不快感を抑えることができる。
【図面の簡単な説明】
【図１】本発明に係る第１の実施形態の正面・側面図である。
【図２】本発明に係る第１の実施形態の図２のＡ−Ａ’断面図である。
【図３】本発明に係る第１の実施形態の図２の鏡部のＢ−Ｂ’断面図である。
【図４】本発明に係る第１の実施形態の電気的な制御回路部のブロック図である。
【図５】本発明に係る第１の実施形態の各照明の点灯動作の一例である。
【図６】本発明に係る第１の実施形態の正面・側面図である。
【図７】本発明に係る第２の実施形態の電気的な制御回路部のブロック図である。
【図８】本発明に係る第２の実施形態の各照明の点灯動作の一例である。
【符号の説明】
０１ａ，０１ｂ…照明器具付き鏡
０２…本体フレーム
０３…鏡
０６…下枠
０７…側枠
１０…左右照明用光源
１１…上部照明用光源
２０ｂ…制御回路部
３１…カバー固定ネジ
３２…鏡押さえ金具固定ネジ
６０…鏡押さえ金具
７１…交流電源
７２…点灯スイッチ
７３…時計回路・記憶回路
７４ａ，７４ｂ…調光回路
７５ａ，７５ｂ…光源
７６ａ，７６ｂ…信号
７９…明るさセンサ
８１ａ…上部照明部
８１ｂ…左右照明部
８２ａ…記憶回路部
８２ｂ…明るさ判定回路部・記憶回路部
【図１】
2004290531.tif 000003
【図２】
2004290531.tif 000004
【図３】
2004290531.tif 000005
【図４】
2004290531.tif 000006
【図５】
2004290531.tif 000007
【図６】
2004290531.tif 000008
【図７】
2004290531.tif 000009
【図８】
2004290531.tif 000010